【手続補正書】
【提出日】平成30年4月13日(2018.4.13)
【手続補正１】
【補正対象書類名】明細書
【補正対象項目名】０００６
【補正方法】変更
【補正の内容】
【０００６】
上記課題を解決するため、本発明に係る表示装置は、
複数の画像を、それらの内の少なくとも何れかを識別可能に透過させて表示手段に重畳表示する制御を行う表示制御手段と、
前記複数の画像のうちの何れかの画像を指定する指定手段と、
前記複数の画像に対するユーザ操作を検出する検出手段と、
を備え、
前記表示制御手段は、前記複数の画像を重畳表示した状態を維持しながら、前記指定手段により指定された画像を、前記検出手段により検出された前記ユーザ操作に応じて、空間的又は時間的に変化させて表示する制御を行うことを特徴とする。
【手続補正２】
【補正対象書類名】明細書
【補正対象項目名】００１３
【補正方法】変更
【補正の内容】
【００１３】
記憶部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。なお、記憶部１０３に記憶されている画像データは、当該端末装置１の撮像部（図示省略）により撮像され記録されたものであっても良いし、外部の撮像装置（図示省略）により撮像された後、当該端末装置１に転送されて記憶部１０３に記録されたものであっても良い。
また、記憶部１０３は、例えば、記憶媒体（図示省略）が着脱自在に構成され、装着された記憶媒体からのデータの読み出しや記憶媒体に対するデータの書き込みを制御する構成であっても良い。
【手続補正３】
【補正対象書類名】明細書
【補正対象項目名】００３８
【補正方法】変更
【補正の内容】
【００３８】
図３に示すように、先ず、ユーザによる操作入力部１０５の所定操作に基づいて、記憶部１０３に記憶されている動画像のうち、重畳表示の対象となる各動画像（動画像Ａ、動画像Ｂ）の画像データが指定されると（ステップＳ１）、表示制御部１０７ｃは、指定された各動画像の画像データを記憶部１０３から読み出して、図示しない画像処理部により復号された各動画像を構成する複数のフレーム画像を所定の再生フレームレートで表示パネル１０４ａの重畳表示領域Ｒ１（図２（ａ）参照）に重畳表示する制御を行う（ステップＳ２）。
【手続補正４】
【補正対象書類名】明細書
【補正対象項目名】００５１
【補正方法】変更
【補正の内容】
【００５１】
以上のように、本実施形態の端末装置１は、動画像Ａと動画像Ｂとを識別可能に透過させて重畳表示領域Ｒ１に重畳表示する制御を行い、動画像Ａと動画像Ｂのうちの少なくとも何れか一の画像を指定し、動画像Ａと動画像Ｂの画像に対するユーザ操作を検出する。また、端末装置１は、動画像Ａと動画像Ｂとを重畳表示した状態を維持しながら、指定された画像を、検出されたユーザ操作に応じて、空間的又は時間的に変化させる制御を行う。
このため、本実施形態の端末装置１にあっては、動画像Ａと動画像Ｂとを重畳表示した状態を維持しながら、指定された画像を、検出されたユーザ操作に応じて、空間的又は時間的に変化させる制御を行うので、互いの画像の大きさや位置等を調整する場合に、重畳表示を解除する必要が無くなり、透過させて重畳表示している動画像Ａと動画像Ｂに対する空間的又は時間的な調整を容易にすることができる。
【手続補正５】
【補正対象書類名】明細書
【補正対象項目名】００６４
【補正方法】変更
【補正の内容】
【００６４】
そして、指定部１０７ａにより静止画像ａと静止画像ｂのうちの少なくとも何れか一の画像が指定されている際に、表示制御部１０７ｃは、検出部１０７ｂにより、重畳表示領域Ｒ１に対するピンチ操作・スワイプ操作が検出されたか否かを判定する。ここで、検出部１０７ｂにより、重畳表示領域Ｒ１に対するピンチ操作が検出されたと判定された場合、表示制御部１０７ｃは、重畳表示領域Ｒ１に重畳表示されている静止画像ａと静止画像ｂのうち、指定部１０７ａにより指定されている静止画像を拡大又は縮小する、すなわち当該静止画像の空間的な大きさを変化させる制御を行う。例えば、指定部１０７ａにより静止画像ａのみが指定されている場合（図５（ｂ）参照）、表示制御部１０７ｃは、重畳表示領域Ｒ１に対するピンチ操作に応じて、重畳表示領域Ｒ１に重畳表示されている静止画像ａのみ拡大又は縮小する制御を行う。
【手続補正６】
【補正対象書類名】明細書
【補正対象項目名】００６５
【補正方法】変更
【補正の内容】
【００６５】
また、指定部１０７ａにより静止画像ａと静止画像ｂのうちの少なくとも何れか一の画像が指定されている際に、検出部１０７ｂにより、重畳表示領域Ｒ１に対するスワイプ操作が検出されたと判定された場合、表示制御部１０７ｃは、重畳表示領域Ｒ１に重畳表示されている静止画像ａと静止画像ｂのうち、指定部１０７ａにより指定されている静止画像をスクロール表示する、すなわち当該静止画像の空間的な位置を変化させる制御を行う。例えば、指定部１０７ａにより静止画像ａのみが指定されている場合（図５（ｂ）参照）、表示制御部１０７ｃは、重畳表示領域Ｒ１に対するスワイプ操作に応じて、重畳表示領域Ｒ１に重畳表示されている静止画像ａのみスクロール表示する制御を行う。
【手続補正７】
【補正対象書類名】明細書
【補正対象項目名】００６６
【補正方法】変更
【補正の内容】
【００６６】
以上のように、本実施形態の表示装置２は、静止画像ａと静止画像ｂとを識別可能に透過させて重畳表示領域Ｒ１に重畳表示する制御を行い、静止画像ａと静止画像ｂのうちの一部の画像を指定し、静止画像ａと静止画像ｂの画像に対するユーザ操作を検出する。また、表示装置２は、静止画像ａと静止画像ｂとを重畳表示した状態を維持しながら、指定された画像を、検出されたユーザ操作に応じて、空間的に変化させる制御を行う。
このため、本実施形態の表示装置２にあっては、静止画像ａと静止画像ｂとを重畳表示した状態を維持しながら、指定された画像を、検出されたユーザ操作に応じて、空間的に変化させる制御を行うので、互いの画像の大きさや位置を調整する場合に、重畳表示を解除する必要が無なくなり、透過させて重畳表示している静止画像ａと静止画像ｂに対する空間的な調整を容易にすることができる。
【手続補正８】
【補正対象書類名】明細書
【補正対象項目名】００６７
【補正方法】変更
【補正の内容】
【００６７】
また、本実施形態の表示装置２は、空間的に変化させる制御として、指定された画像の空間的な大きさ又は空間的な位置を変化させる制御を行うので、静止画像ａと静止画像ｂの空間的な重ね合わせの調整を適切に行うことができる。
【手続補正９】
【補正対象書類名】明細書
【補正対象項目名】００６８
【補正方法】変更
【補正の内容】
【００６８】
また、本実施形態の表示装置２は、静止画像ａと静止画像ｂのうちの何れか一の画像が指定された場合、当該画像を強調、すなわち当該画像の被写体を輪郭強調表示するようにして静止画像ａと静止画像ｂを重畳表示する制御を行うので、重ね合わせの調整を行う対象となる画像を見分け易くすることができ、静止画像ａと静止画像ｂに対する空間的な調整をより容易にすることができる。
【手続補正１０】
【補正対象書類名】明細書
【補正対象項目名】００７９
【補正方法】変更
【補正の内容】
【００７９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【手続補正１１】
【補正対象書類名】特許請求の範囲
【補正対象項目名】全文
【補正方法】変更
【補正の内容】
【特許請求の範囲】
【請求項１】
複数の画像を、それらの内の少なくとも何れかを識別可能に透過させて表示手段に重畳表示する制御を行う表示制御手段と、
前記複数の画像のうちの何れかの画像を指定する指定手段と、
前記複数の画像に対するユーザ操作を検出する検出手段と、
を備え、
前記表示制御手段は、前記複数の画像を重畳表示した状態を維持しながら、前記指定手段により指定された画像を、前記検出手段により検出された前記ユーザ操作に応じて、空間的又は時間的に変化させて表示する制御を行うことを特徴とする表示装置。
【請求項２】
前記表示制御手段は、前記空間的に変化させて表示する制御として、前記指定手段により指定された画像の空間的な大きさ又は空間的な位置を変化させて表示する制御を行うことを特徴とする請求項１に記載の表示装置。
【請求項３】
前記表示制御手段は、前記複数の画像の各々が動画像である場合に、前記時間的に変化させて表示する制御として、当該動画像のフレームレート又は当該動画像内における時間的な位置を変化させて表示する制御を行うことを特徴とする請求項１又は２に記載の表示装置。
【請求項４】
前記表示制御手段は、
前記複数の画像を重畳表示領域に重畳表示する制御を行い、
前記重畳表示領域とは異なる複数の個別表示領域の各々に、当該複数の画像の各々を個別に表示する制御を、更に行い、
前記指定手段は、前記個別表示領域に対するユーザ操作に応じて、前記複数の画像のうちの何れかの画像を指定することを特徴とする請求項１〜３の何れか一項に記載の表示装置。
【請求項５】
前記表示制御手段は、
前記重畳表示領域に、前記複数の画像として、複数の動画像を識別可能に透過して重畳表示する制御を行うとともに、
前記複数の個別表示領域の各々に、前記複数の動画像の各々を個別に表示する制御を行い、
前記検出手段により検出された前記重畳表示領域に対するユーザ操作に応じて、前記複数の動画像を重畳表示した状態を維持しながら、前記指定手段により指定された動画像を空間的に変化させて表示する制御を行い、
更に、前記検出手段により検出された前記個別表示領域に対するユーザ操作に応じて、前記複数の動画像を重畳表示した状態を維持しながら、前記指定手段により指定された動画像を時間的に変化させて表示する制御を行うことを特徴とする請求項４に記載の表示装置。
【請求項６】
前記表示制御手段は、前記検出手段により検出された前記重畳表示領域に対するユーザ操作であって、前記動画像を空間的に変化させて表示するためのユーザ操作とは異なるユーザ操作に応じて、前記複数の動画像を重畳表示した状態を維持しながら、当該複数の動画像を同時に時間的に変化させて表示する制御を行うことを特徴とする請求項５に記載の表示装置。
【請求項７】
前記表示制御手段は、
前記重畳表示領域に、前記複数の動画像の各々を構成する互いのフレーム画像を１フレームずつ重畳表示する制御を行い、
前記複数の個別表示領域の各々に、前記複数の動画像の各々を構成する互いのフレーム画像を、連続する複数フレームずつ並べて表示する制御を行うことを特徴とする請求項５又は６に記載の表示装置。
【請求項８】
前記表示制御手段は、前記個別表示領域に対するユーザ操作であって、前記指定手段により前記複数の画像のうちの何れかの画像を指定するためのユーザ操作とは異なるユーザ操作に応じて、前記重畳表示領域に重畳表示されている前記複数の画像の透過率を変化させて表示する制御を行うことを特徴とする請求項４〜７の何れか一項に記載の表示装置。
【請求項９】
前記表示制御手段は、前記指定手段により前記複数の画像のうちの何れかの画像が指定された際に、当該画像を強調するようにして前記複数の画像を重畳表示する制御を行うことを特徴とする請求項１〜８の何れか一項に記載の表示装置。
【請求項１０】
複数の画像を、それらの内の少なくとも何れかを識別可能に透過させて表示手段に重畳表示する制御を行う処理と、
前記複数の画像のうちの何れかの画像を指定する処理と、
前記複数の画像に対するユーザ操作を検出する処理と、
を含み、
前記複数の画像を重畳表示する制御を行う処理において、当該複数の画像を重畳表示した状態を維持しながら、指定された画像を、検出された前記ユーザ操作に応じて、空間的又は時間的に変化させて表示する制御を行うことを特徴とする表示制御方法。
【請求項１１】
コンピュータに、
複数の画像を、それらの内の少なくとも何れかを識別可能に透過させて表示手段に重畳表示する制御を行う表示制御機能、
前記複数の画像のうちの何れかの画像を指定する指定機能、
前記複数の画像に対するユーザ操作を検出する検出機能、
を実現させ、
前記表示制御機能は、前記複数の画像を重畳表示した状態を維持しながら、前記指定機能により指定された画像を、前記検出機能により検出された前記ユーザ操作に応じて、空間的又は時間的に変化させて表示する制御を行うことを特徴とするプログラム。